(57)【要約】【課題】表示装置を水平または垂直方向に回転した後も立体映像を表示できる立体映像表示装置及びその電気変色モジュールを提供する。【解決手段】表示モジュール、電気変色モジュール、制御素子と感知素子、とを備える。電気変色モジュールは異なる方向に設置された第１電気変色素子と第２電気変色素子とを備える。前記電気変色素子は溶液形電気変色材料であり、材料のイオン価の改変により高速、かつ均一の色変化を引き起す。表示装置は感知素子の検出信号が制御素子に伝送し、制御素子によって前記第１、第２電気変色素子の変／褪色を制御することによって、水平又は垂直方向の視差バリアの切り換えで、各視角方向とも使用者の視聴に適した立体映像を視聴できる。【選択図】図４
2012133305.tif 000002
【特許請求の範囲】
【請求項１】
電気変色モジュールであって、
第１透明基板と、
前記第１透明基板の一端に設ける第１透明導電素子と、
前記第１透明導電素子の一端に設ける複数の第１電気変色素子と、
前記第１電気変色素子の一端に設ける第２透明導電素子と、
前記第２透明導電素子の一端に設ける第２透明基板と、
前記第２透明基板の一端に設ける第３透明導電素子と、
前記第３透明導電素子の一端に設け、前記第１電気変色素子と正交して配列する複数の前記第２電気変色素子と、
前記第２電気変色素子の一端に設ける第４透明導電素子と、
前記第４透明導電素子の一端に設ける第３透明基板と、
前記第１電気変色素子の間に間隔置きに設ける複数の第１バリア素子と、
間隔置きに前記第２電気変色素子の間に設ける複数の第２バリア素子、とを備え、
前記第１バリア素子と前記第２バリア素子の設置方向は、第１電気変色素子と前記第２電気変色素子に同じであり、
前記第１電気変色素子は前記第１透明導電素子または前記第２透明導電素子から電子の提供によって、前記第１電気変色素子のイオン価を改変し色変化を引き起し、前記第２電気変色素子は前記第３透明導電素子または前記第４透明導電素子から電子の提供によって、前記第２電気変色素子のイオン価を改変し、色変化を引き起こすことを特徴とする、電気変色モジュール。
【請求項２】
前記第１、第２透明導電素子が複数あるときは、前記第１透明導電素子と前記第２透明導電素子を間隔置きに前記第１透明基板と前記第２透明基板の間に配列することにより、各前記第１電気変色素子が対応する前記第１透明導電素子と前記第２透明導電素子の間に位置し、前記第３、第４透明導電素子が複数あるときは、前記第３透明導電素子と前記第４透明導電素子は間隔置きに、前記第２透明基板と前記第３透明基板との間に設置することにり、各前記第２電気変色素子が対応する前記第３透明導電素子と前記第４透明導電素子の間に位置することを特徴とする、請求項１記載の電気変色モジュール。
【請求項３】
前記第１透明導電素子は上向きに複数の第１バリア部を延在し、前記第２透明導電素子は下向きに複数の第２バリア部を延在し、前記第３透明導電素子は上向きに複数の第３バリア部を延在し、前記第４透明導電素子は下向きに複数の第４バリア部を延在することを特徴とする、請求項１記載の電気変色モジュール。
【請求項４】
電気変色モジュールであって、
第１透明基板と、
間隔置きに前記第１透明基板の一端に配列する複数の第５透明導電素子と、
前記第５透明導電素子の一端に設ける第１電気変色素子と、
前記第１電気変色素子の一端に設ける第２透明基板と、
間隔置きに前記第２透明基板の一端に配列する複数の第６透明導電素子と、
前記第６透明導電素子の一端に設ける第２電気変色素子と、
前記第２電気変色素子の一端に設ける第３透明基板、とを備え、
前記第５透明導電素子と前記第６透明導電素子は正交して設けられ、前記第１電気変色素子は前記第５透明導電素子から電子の提供によって、前記第１電気変色素子のイオン価を改変し色変化を引き起し、前記第２電気変色素子は前記第６透明導電素子から電子の提供によって、前記第２電気変色素子のイオン価を改変し、色変化を引き起こすことを特徴とする、電気変色モジュール。
【請求項５】
前記第５透明導電素子は交互に正、負電圧を前記第１電気変色素子に印加し、前記第６透明導電素子は交互に正、負電圧を前記第２電気変色素子に印加することを特徴とする、請求項４記載の電気変色モジュール。
【請求項６】
前記第５、第６透明導電素子の上部表面はさらに、複数の第１、第２シールド素子を設けることを特徴とする、請求項５記載の電気変色モジュール。
【請求項７】
前記第１、第２シールド素子の材料はフォトレジストまたは二酸化ケイ素であることを特徴とする、請求項６記載の電気変色モジュール。
【請求項８】
第７透明導電素子と第８透明導電素子をさらに備え、前記第７透明導電素子を前記第２透明基板の下部表面に設け、前記第８透明導電素子を前記第３透明基板の下部表面に設けることを特徴とする、請求項５記載の電気変色モジュール。
【請求項９】
前記第７、第８透明導電素子より、前記第１電気変色素子と前記第２電気変色素子に正電圧を印加することを特徴とする、請求項８記載の電気変色モジュール。
【請求項１０】
前記第１電気変色素子と前記第２電気変色素子は、無機電気変色材料と有機電気変色材料を混ぜ合わせて溶液に溶かしてなることを特徴とする、請求項１または請求項４記載の電気変色モジュール。
【請求項１１】
前記無機電気変色材料は遷移元素の酸化物、硫化物、塩化物、水酸化物などの無機派生物であることを特徴とする、請求項１０記載の電気変色モジュール。
【請求項１２】
前記遷移元素はスカンジウム亜族（ＩＩＩＢ）、チタニウム亜族（ＩＶＢ）、クロム亜族（ＶＩＢ）、マンガン亜族（ＶＩＩＢ）、鉄族（ＶＩＩＩ）、銅亜族（ＩＢ）、亜鉛亜族（ＩＩＢ）または白金族（ＶＩＩＩ）材料からなることを特徴とする、請求項１１記載の電気変色モジュール。
【請求項１３】
前記無機電気変色材料はハロゲン族（ＶＩＩＡ）、酸素族（ＶＩＡ）、窒素族（ＶＡ）、カーボン族（ＩＶＡ）、ホウ素族（ＩＩＩＡ）、アルカリ土族（ＩＩＡ）、アルカリ金属族（ＩＡ）の酸化物、硫化物、塩化物、水酸化物などの無機派生物であることを特徴とする、請求項１０記載の電気変色モジュール。
【請求項１４】
前記無機電気変色材料は塩化第一鉄（ＦｅＣｌ2）、塩化第二鉄（ＦｅＣｌ3）、三塩化チタン（ＴｉＣｌ3）または四塩化チタン（ＴｉＣｌ4）、塩化ビスマス（ＩＩＩ）（ＢｉＣｌ3）、塩化銅（ＣｕＣｌ2）または臭化リチウム（ＬｉＢｒ）であることを特徴とする、請求項１０記載の電気変色モジュール。
【請求項１５】
前記有機電気変色材料は酸化還元指示薬、酸塩基指示薬またはその他有機化合物であることを特徴とする、請求項１０記載の電気変色モジュール。
【請求項１６】
前記酸化還元指示薬はメチレンブルー（Ｍｅｔｈｙｌｅｎｅ ｂｌｕｅ， Ｃ16Ｈ18ＣｌＮ3Ｓ・３Ｈ2Ｏ）、ビオローゲン（Ｖｉｏｌｏｇｅｎ）、Ｎ−フェニルアントラニル酸（ｎ−ｐｈｅｎｙｌａｎｔｈｒａｎｉｌｉｃ  ａｃｉｄ，  Ｃ13Ｈ11ＮＯ2）、ジフェニルアミンスルホン酸ナトリウム（Ｃ12Ｈ10ＮＮａＯ3Ｓ）、ジクロロフェノールインドフェノールナトリウム（ｄｉｃｈｌｏｒｏｐｈｅｎｏｌ  ｉｎｄｏｐｈｅｎｏｌ  ｓｏｄｉｕｍ，  Ｃ12Ｈ6Ｃｌ2ＮＮａＯ2）、Ｎ，Ｎ’−ジフェニルベンジジン（Ｎ，Ｎ’−Ｄｉｐｈｅｎｙｌｂｅｎｚｉｄｉｎｅ，Ｃ20Ｈ20Ｎ2）であることを特徴とする、請求項１５記載の電気変色モジュール。
【請求項１７】
前記酸塩基指示薬はバリアミンブルーＢジアゾニウム塩（Ｖａｒｉａｍｉｎｅ  Ｂｌｕｅ  Ｂ  Ｄｉａｚｏｎｉｕｍ  ｓａｌｔ，Ｃ13Ｈ12ＣｌＮ3Ｏ）であることを特徴とする、請求項１５記載の電気変色モジュール。
【請求項１８】
前記有機化合物は７，７，８，８−テトラシアノキノジメタン（７，７，８，８−Ｔｅｔｒａｃｙａｎｏｑｕｉｎｏｄｉｍｅｔｈａｎｅ）またはフェロセン［Ｆｅ（Ｃ5Ｈ5）2］であることを特徴とする、請求項１５記載の電気変色モジュール。
【請求項１９】
前記溶剤はジメチルスルホキシド［（ＣＨ3）2ＳＯ］、炭酸プロピレン（Ｃ4Ｈ6Ｏ3）、水（Ｈ2Ｏ）、γ−ブチロラクトン、アセトニトリル、シアン化エチル、ベンゾニトリル、グルタロニトリル、メチルグルタロニトリル、３，３’−オキシジプロピオニトリル、ヒドロキシプロピオニトリル、ジメチルホルムアミ、Ｎ−メチルピロリジンケトン、スルホラン、３−メチルスルホランまたはその混合物から選択することを特徴とする、請求項１０記載の電気変色モジュール。
【請求項２０】
前記第１電気変色素子と前記第２電気変色素子は電気変色材料に電解質材料をドープしてなることを特徴とする、請求項１または請求項４記載の電気変色モジュール。
【請求項２１】
前記電気変色材料は陽極変色（ａｎｏｄｉｃ ｃｏｌｏｒａｔｉｏｎ）、陰極変色（ｃａｔｈｏｄｉｃ ｃｏｌｏｒａｔｉｏｎ）、陰／陽極変色（ｃａｔｈｏｄｉｃ／ａｎｏｄｉｃ ｃｏｌｏｒａｔｉｏｎ）より組み合わせる遷移金属酸化物グループまたは有機電気変色材料のいずれかを選択することを特徴とする、請求項２０記載の電気変色モジュール。
【請求項２２】
前記遷移金属酸化物は、水酸化ニッケル［Ｎｉ（ＯＨ）2］、五酸化タンタル（Ｔａ2Ｏ5）とフェロシアン化第二鉄（Ｆｅ［Ｆｅ（Ｃｎ）6］3）、酸化タングステン（ＷＯ3）、酸化バナジウム（Ｖ2Ｏ2）、酸化ニオブ（Ｎｂ2Ｏ3）、酸化チタニウム（ＴｉＯ2）のいずれかを選択することを特徴とする、請求項２１記載の電気変色モジュール。
【請求項２３】
前記有機電気変色材料は酸化還元化合物、導電重合物、高分子金属錯体、遷移金属とランタン系の配位子錯体、金属フタロシアニンなど及びその派生物であることを特徴とする、請求項２０記載の電気変色モジュール。
【請求項２４】
前記有機電気変色材料はビピリジル（ｂｉｐｙｒｉｄｙｌｓ）、ビオローゲン（ｖｉｏｌｏｇｅｎ）、ポリアセチレン（Ｐｏｌｙａｃｅｔｙｌｅｎｅ）、ポリアニリン（Ｐｏｌｙａｎｉｌｉｎｅ）、ポリピロール（Ｐｏｌｙｐｙｒｒｏｌｅ）、ポリチオフェン（Ｐｏｌｙｔｈｉｏｐｈｅｎｅ）、フェロセン（Feｒｒｏｃｅｎｅ）、鉄のチオシアン酸塩［ｉｒｏｎ（ＩＩＩ）ｔｈｉｏｃｙａｎａｔｅ］を水溶液に溶かし、ヘキサシアノ鉄酸塩をテトラシアノキノンに溶かし、またはテトラチオン酸塩をシアノメタンに溶かすことを特徴とする、請求項２３記載の電気変色モジュール。
【請求項２５】
前記液体電解質は過塩素酸リチウム（ＬｉＣｌＯ4）、水酸化カリウム（ＫＯＨ）、水酸化ナトリウ（ＮａＯＨ）またはケイ酸ナトリウム（Ｎａ2ＳｉＯ3）のいずれかを選択することを特徴とする、請求項２０記載の電気変色モジュール。
【請求項２６】
前記第１電気変色素子と前記第２電気変色素子はさらに、電解質または高分子化合物を含めることを特徴とする、請求項１または請求項４記載の、電気変色モジュール。
【請求項２７】
前記電解質は過塩素酸リチウム（ＬｉＣｌＯ4）、水酸化カリウム（ＫＯＨ）、水酸化ナトリウ（ＮａＯＨ）またはケイ酸ナトリウム（Ｎａ2ＳｉＯ3）のいずれかを選択することを特徴とする、請求項２６記載の電気変色モジュール。
【請求項２８】
前記高分子化合物は高フッ化樹脂、ポリ（２−アクリルアミド−２−メチル−１−プロパンスルホン酸）（ＰＡＭＡＳ）、ポリビニルアルコールリン酸（ＰＡＶＡ）、ポリエチレンオキシド（ＰＥＯ）、ポリエチレンイミン（ＰＥＩ）、テトラブチルアンモニウムテトラフルオロボラート（Ｔｅｔｒａｂｕｔｙｌａｍｍｏｎｉｕｍ  ｔｅｔｒａｆｌｕｏｒｏｂｏｒａｔｅ）、ポリメタクリル酸メチル（ＰＭＭＡ）、フェニルリン酸（Ｐｈｅｎｙｌ  Ａｃｉｄ  Ｐｈｏｓｐｈａｔｅ，  ＰＡＰ）、ポリビニルピロリドン（ＰＶＰ）のうち一種または複数種の混合物を選択することを特徴とする、請求項２６記載の電気変色モジュール。
【請求項２９】
前記バリア素子はフォトレジスト（ｐｈｏｔｏｒｅｓｉｓｔ）または二酸化ケイ素（ＳｉＯ2）であることを特徴とする、請求項１記載の電気変色モジュール。
【請求項３０】
前記第１電気変色素子と前記第２電気変色素子はさらに、リチウム、ナトリウムまたはテトラアルキルアミン塩の非活性導電塩を含めることを特徴とする、請求項１または請求項４記載の電気変色モジュール。
【請求項３１】
立体映像表示装置であって、
左目用の映像と右目用の映像を形成する表示モジュールと、
請求項１乃至請求項４の何れかに記載の前記電気変色モジュールと、
第１透明導電素子、第２透明導電素子、第３透明導電素子及び第４透明導電素子にそれぞれ電気導通する制御素子は、前記制御素子は前記透明導電素子の電圧の切り換えに提供し、前記第１電気変色素子は前記第１透明導電素子と前記第２透明導電素子の電圧変化によって、変色／褪色を制御し、前記第２電気変色素子は前記第３透明導電素子及び第４透明導電素子の電圧変化によって、変色／褪色を制御し、
前記制御素子と導通され、前記立体映像表示装置の回転方向を検出し、前記検出信号を前記制御素子に伝送することにり、前記第１電気変色素子または前記第２電気変色素子を変色させ、視差バリアを形成する感知素子、とを備える、立体映像表示装置。
【請求項３２】
前記感知素子はジャイロ装置（Ｇｙｒｏｓｃｏｐｅ）または光電式の方向センサーであることを特徴とする、請求項３１記載の立体映像表示装置。
【請求項３３】
立体映像表示装置であって、
左目用の映像と右目用の映像を形成する表示モジュールと、
請求項１乃至請求項４の何れかに記載の前記電気変色モジュールと、
それぞれ前記第５透明導電素子と前記第６透明導電素子に電気導通され、前記透明導電素子の電圧を切り換える制御素子と、
前記制御素子と導通され、前記立体映像表示装置の回転方向を検出し、前記検出信号を前記制御素子に伝送することにより、前記第１電気変色素子または前記第２電気変色素子を変色させ、前記視差バリアを形成する感知素子、とを備えることを特徴とする、立体映像表示装置。
【請求項３４】
前記感知素子はジャイロ装置（Ｇｙｒｏｓｃｏｐｅ）または光電式の方向センサーであることを特徴とする、請求項３３記載の立体映像表示装置。
【発明の詳細な説明】
【技術分野】
【０００１】
本発明は立体映像表示装置及びその電気変色モジュールに関し、特に方向を回転し立体映像を表示可能な立体映像表示装置及びその電気変色モジュールに関する。
【背景技術】
【０００２】
現在、立体映像の視聴は裸眼の立体映像と、シャッター式メガネを着用し立体映像を形成する２種類に分けられる。
【０００３】
図１と図２は、公知技術のシャッター式メガネ（ｓｈｕｔｔｅｒ  ｇｌａｓｓ）を利用し立体映像を形成する立体映像表示装置の態様図と、同期制御プロセス概略図である。この立体映像表示装置１において、バックライト１３の出射光が液晶表示パネル１２を通過した後、左目、右目がそれぞれの時点におのおの左目用の映像データと右目用の映像データを視聴し、視覚分離の効果を有する。交互に表示する左目用、右目用の映像は、シャッター式メガネ１１と制御回路（図示しない）によって、同期に操作する必要がある。切り換え信号を利用し、シャッター式メガネ１１の左目と右目のオン（Ｏｎ）とオフを制御する。タイミングを液晶パネル１２の受信映像との同期に切り換えて、左目用の映像データを表示するとき、右目の視線はシャッシャッター式メガネによって遮られる。これに対して、右目の映像データが表示されている間に、左目の視線はシャッター式メガネによって遮られる。このように、左目用、右目用の映像データが高速で交互に表示され、視覚の残像性効果により、立体の視覚効果を形成する。この種の立体映像の結合方式は時分割法（Ｔｉｍｅ  Ｄｉｖｉｓｉｏｎ）ともいう。
【０００４】
このほか、一種の波長分割（Ｗａｖｅｌｅｎｇｔｈ  Ｄｉｖｉｓｉｏｎ）は、左目用と右目用の映像をまず赤気味と緑気味の画面処理を行い、視聴者は左目に赤色、右目に緑色の色付きメガネを着用し、右目は緑色の右目用の映像のみを視聴できる。左と右に異なる色の画面処理を利用し立体映像を構成できる。
【０００５】
さらに、一種のプルフリッヒ効果（Ｐｕｌｆｒｉｃｈ  ｅｆｆｅｃｔ）を利用した立体映像表示装置がある。この種の立体映像表示装置はプルフリッヒ立体メガネを備え、立体メガネのうち１枚のレンズはさらにニュートラルフイルタ（ｎｅｕｔｒａｌ  ｆｉｌｔｅｒ）を有し、左と右２枚レンズの光透過率はそれぞれ異なり、頭脳が暗い光色の刺激に対する認知性が明るい光色の刺激より鈍い原理を利用し、光の錯覚を形成する。これにより、両眼とも同じ映像を見ることはできるが、フィルタを介して映像が目から脳内に伝送する速度を遅くすることによって、仮想の空間深度を構築し立体効果を有する。
【先行技術文献】
【特許文献】
【０００６】
【特許文献１】台湾特許第Ｍ３６８０８８号
【特許文献２】台湾特許第Ｍ３７１９０２号
【特許文献３】米国特許公報第２００６０８７４９９号
【発明の概要】
【発明が解決しようとする課題】
【０００７】
前述メガネの着用による立体映像を表示する方法は、技術度が成熟されているため、幅広く映画、テレビ装置とプロジェクターの産業に使用されている。しかし、メガネを着用必要があるため、従来から近眼または遠視メガネを着用していた使用者は、もう一つのメガネを着用しなければ、視聴することはできないため、非常に不便を感じる。このほか、公共場所で使用する場合は、衛生上の問題がある。さらに、この種のメガネを着用することによって、めまいや吐き気を引き起し、心理的な負担となり、この種の映像技術の応用に制限を受ける。
【０００８】
一方、裸眼立体表示技術は、レンチキュラー（ｌｅｎｔｉｃｕｌａｒ）レンズ、光バリア式（Ｂａｒｒｉｅｒ）などに大きく分けられる。そのうち、レンチキュラーレンズは、多くの細長い条状のレンズを軸方向に配列され、光学の屈折原理を利用して、左目用と右目用にそれぞれの視図を形成する。光バリア式に比べ、光の屈折により分光の目的を実現しているため、光ロスは少なく、輝度も良い。しかし、レンズ構造の縁部に屈折効果の限界があるため、屈折効果が良くないか、またはレンチキュラーレンズを製造するときの精度管理が難しいことから、使用時に散乱光を発生しやく、全体の表示効果に影響を与える。
【０００９】
このほか、光バリア式は、一列のバリア物体を利用し、所定角度の光の出射を制限し、所定角度の視図映像をそれぞれ左目と右目に伝送して、立体映像を形成する仕組みである。レンチキュラーレンズ方式に比べ、単眼方式の映像の視認性が良い。しかし、構造上の特徴により、映像全体の輝度點が低下し、映像解像度も低下する。
【００１０】
材料技術の発展につれて、電気変色（ｅｌｅｃｔｒｏｃｈｒｏｍｉｃ）材料は電気接続した後に、変色／褪色の特性を有するため、徐々に裸眼立体映像に必要な視差バリアに使用するようになった。中華民国特許第Ｍ３６８０８８号整合式電気変色２Ｄ／３Ｄ表示装置（特許文献１）、中華民国特許第Ｍ３７１９０２号、米国特許公報第２００６０８７４９９号Ａｕｔｏｓｔｅｒｅｏｓｃｏｐｉｃ  ３Ｄ  ｄｉｓｐｌａｙ  ｄｅｖｉｃｅ  ａｎｄ  ｆａｂｒｉｃａｔｉｏｎ  ｍｅｔｈｏｄ  ｔｈｅｒｅｏｆ（特許文献３）によれば、立体映像の視差バリア構造に電気変色材料を使用されている。しかし、その構造に電解質層が設けられておらず、イオンを電気変色層に提供するが欠けているため、電気変色素子の酸化または可逆反応の発生および変色／褪色することはできない。よって、前述特許は実務上に実施不可能であろう。さらに、視差バリア装置の透明電極層と電気変色材料層ともグリッドパターンを設けるため、生産プロセスにおける層を分けての塗布、スパッタリング、または蝕刻さらに各積層の精確な位置合わせなど、生産プロセスが極めて複雑のほか、抵抗値が高くなり、応答時間が遅くなる一方、すべての積層がグリッドパターンになっているため、グリッドパターン同士の中間に中空区域を形成し、全体の光線透過、屈折または反射に影響する恐れがある。一般の２Ｄ表示においても、表示装置の映像品質に影響し、色差または輝度の不均衡問題を引き起こす。
【００１１】
さらに、公知の立体映像表示技術は、一つ方向による立体映像表示しかできない。現在大量に使用されている携帯電話機、携帯型情報端末、乗物のナビゲーション装置などの携帯式電子製品にとって、使用者が特定の方向に回さないと、立体映像を視聴することができない。角度に対応して立体表示ができなく、非常に不便である。
【課題を解決するための手段】
【００１２】
本発明の主な目的は、表示装置を水平または垂直方向に回転した後も立体映像を表示できる立体映像表示装置及びその電気変色モジュールを提供することにある。
【００１３】
前述の目的を達成するため、本発明の電気変色モジュールは第１透明基板、第１透明導電素子、複数の第１電気変色素子、一つの第２透明導電素子、第２透明基板、第３透明導電素子、複数の第２電気変色素子、一つの第４透明導電素子と第３透明基板、とを含み、前記第１透明基板の一端に設ける第１透明導電素子と、前記第１透明導電素子の一端に設ける第１電気変色素子と、第１電気変色素子の一端に設ける第２透明導電素子と、前記第２透明導電素子の一端に設ける第２透明基板と、前記第２透明基板の一端に設ける第３透明導電素子と、前記第３透明導電素子の一端に設け、前記第１電気変色素子と正交して配列する前記第２電気変色素子と、前記第２電気変色素子の一端に設ける第４透明導電素子と、前記第４透明導電素子の一端に設ける第３透明基板、とを備える。そのうち、第１電気変色素子または第２透明導電素子の電子提供によって、第１電気変色素子のイオン価を改変し色変化を引き起し、第２電気変色素子は第３透明導電素子または第４透明導電素子から電子の提供によって、第２電気変色素子のイオン価を改変し、色変化を引き起こす。
【００１４】
そのうち、電気変色モジュールは複数の第１バリア素子と複数の第２バリア素子をさらに有する。第１バリア素子は間隔置きに第１電気変色素子の間に設け、第１バリア素子は間隔置きに第２電気変色素子の間に設け、かつ第１バリア素子と第２バリア素子は正交して配列される。
【００１５】
前記構造のほか、本発明もう一つの設置方式は、基板片側の表面に複数に間隔置きに配列して透明導電素子を設け、透明導電素子より交互に正、負電圧を電気変色材料の色変化に必要な電子を提供する。
【００１６】
そのうち、第１電気変色素子と第２電気変色素子は溶液形電気変色素子である。その材料は、２つの配置方法がある。
【００１７】
第１種の材料は、第１電気変色素子第２電気変色素子を溶液の中に有機電気変色材料と無機電気変色材料とを混ぜ合わせてなる。
【００１８】
そのうち、有機電気変色材料は酸化還元指示薬、酸塩基指示薬または有機化合物より選択することができる。
【００１９】
そのうち、無機電気変色材料は遷移元素の酸化物、硫化物、塩化物、水酸化物等の無機派生物である。
【００２０】
そのうち、遷移元素はスカンジウム亜族（ＩＩＩＢ）、チタニウム亜族（ＩＶＢ）、クロム亜族（ＶＩＢ）、マンガン亜族（ＶＩＩＢ）、鉄族（ＶＩＩＩ）、銅亜族（ＩＢ）、亜鉛亜族（ＩＩＢ）、バナジウム亜族（ＶＢ）または白金系（ＶＩＩＩ）などの材料、およびハロゲン族（ＶＩＩＡ）、酸素族（ＶＩＡ）、窒素族（ＶＡ）、カーボン族（ＩＶＡ）、ボロン族（ＩＩＩＡ）、アルカリ土族（ＩＩＡ）、アルカリ金属族（ＩＡ）など無機派生物のいずれかである。そのうち、溶剤の材料はジメチルスルホキシド［（ＣＨ3）2ＳＯ］、炭酸プロピレン（Ｃ4Ｈ6Ｏ3）、水（Ｈ2Ｏ）、γ−ブチロラクトン、アセトニトリル、シアン化エチル、ベンゾニトリル、グルタロニトリル、メチルグルタロニトリル、３，３’−オキシジプロピオニトリルヒドロキシプロピオニトリル、ジメチルホルムアミ、Ｎ−メチルピロリジンケトン、スルホラン、３−メチルスルホランまたはその混合物を用いる。
【００２１】
第２種の材料は、第１電気変色素子と第２電気変色素子は電気変色材料に電解質材料をドープした複合材である。
【００２２】
そのうち、電気変色材料は、陽極着色（ａｎｏｄｉｃ  ｃｏｌｏｒａｔｉｏｎ）、陰極着色（ｃａｔｈｏｄｉｃ  ｃｏｌｏｒａｔｉｏｎ）および陰／陽極変色（ｃａｔｈｏｄｉｃ／ａｎｏｄｉｃ  ｃｏｌｏｒａｔｉｏｎ）より組み合わせる遷移金属酸化物グループのいずれかまたは有機電気変色材料より選択する。
【００２３】
そのうち、電解質材料は過塩素酸リチウム（ＬｉＣｌＯ4）、水酸化カリウム（ＫＯＨ）、水酸化ナトリウム（ＮａＯＨ）またはケイ酸ナトリウム（Ｎａ2ＳｉＯ3）などである。
【００２４】
前述の目的を達成するため、本発明の立体映像表示装置は、表示モジュール、電気変色モジュール、制御素子と感知素子、とを備える。
【００２５】
表示モジュールによって、左目用の映像と右目用の映像が形成される。電気変色モジュールは前述の構造と材質である。制御素子によって、第１電気変色素子、第２透明導電素子、第３透明導電素子及び第４透明導電素子の電圧を切り換える。感知素子は制御素子と導通され、感知素子は立体映像表示装置の回転方向を検出し、検出信号を制御素子に伝送することによって、第１電気変色素子または第２電気変色素子を変色させ、視差バリアを形成する。
【図面の簡単な説明】
【００２６】
【図１】公知技術のシャッター式メガネを利用し立体映像を形成する立体映像表示装置の態様図である。
【図２】公知技術のシャッター式メガネの制御プロセス図である。
【図３】本発明の立体映像表示装置実施例１のブロック図である。
【図４】本発明の立体映像表示装置の実施例１で使用された電気変色モジュールと表示モジュールを結合した分解図である。
【図５】本発明の立体映像表示装置の実施例１に使用された電気変色モジュールと表示モジュールを結合した断面視図である。
【図６】本発明の立体映像表示装置実施例１の立体図である。
【図７】本発明の立体映像表示装置の電気変色素子実施例１の電気変色素子の第１変色態様図である。
【図８】本発明の立体映像表示装置実施例１の立体映像結像の第１態様図である。
【図９】本発明の立体映像表示装置実施例１の立体映像結像の第２態様図である。
【図１０】本発明の立体映像表示装置実施例１回転後の立体図である。
【図１１】本発明の立体映像表示装置の実施例１に使用された電気変色素子の第２変色態様図である。
【図１２】本発明の立体映像表示装置実施例２のブロック図である。
【図１３】本発明の立体映像表示装置の実施例２に使用された電気変色モジュールの分解図である。
【図１４】本発明の立体映像表示装置の実施例２に使用された電気変色モジュールの断面視図である。
【図１５】本発明の立体映像表示装置実施例３のブロック図である。
【図１６】本発明の立体映像表示装置の実施例３に使用された電気変色モジュールの分解図である。
【図１７】本発明の立体映像表示装置の実施例３に使用された電気変色モジュールの断面視図である。
【図１８】本発明の立体映像表示装置実施例４のブロック図である。
【図１９】本発明の立体映像表示装置の実施例４に使用された電気変色モジュールの分解図である。
【図２０】本発明の立体映像表示装置の実施例４に使用された電気変色モジュールの断面視図である。
【図２１】本発明の立体映像表示装置の実施例５に使用された電気変色モジュールの分解図である。
【図２２】本発明の立体映像表示装置の実施例５に使用された電気変色モジュールの断面視図である。
【図２３Ａ】本発明の立体映像表示装置の実施例５の第５透明導電素子の構造態様図（その１）である。
【図２３Ｂ】本発明の立体映像表示装置の実施例５の第６透明導電素子の構造態様図（その１）である。
【図２４Ａ】本発明の立体映像表示装置の実施例５の第５透明導電素子の構造態様図（その５）である。
【図２４Ｂ】本発明の立体映像表示装置の実施例５の第６透明導電素子の構造態様図（その２）である。
【図２５】本発明の立体映像表示装置の実施例６に使用された電気変色モジュールの分解図である。
【図２６】本発明の立体映像表示装置の実施例６に使用された電気変色モジュールの断面視図である。
【図２７】本発明の立体映像表示装置の実施例７に使用された電気変色モジュールの分解図である。
【図２８】本発明の立体映像表示装置の実施例７に使用された電気変色モジュールの断面視図である。
【図２９】本発明の立体映像表示装置の実施例８に使用された電気変色モジュールの分解図である。
【図３０】本発明の立体映像表示装置の実施例８に使用された電気変色モジュールの断面視図である。
【発明を実施するための形態】
【００２７】
以下に図面を参照しながら本発明について詳しく説明する。
【実施例】
【００２８】
図３乃至図５は、本発明の表示装置実施例１のブロック図、本発明の電気変色モジュールと結合する表示モジュールの分解図及び断面視図であり、これらの図面を参照して説明する。
図に示すように、立体映像表示装置２は、表示モジュール２１、電気変色モジュール２２、制御素子２３と感知素子２４、とを備える。
【００２９】
表示モジュール２１によって、左目用の映像Ｌと右目用の映像Ｒが形成される。表示モジュール２１はソフトウェアまたはファームウェアであり、平像を左目用の映像Ｌと右目用の映像Ｒを含めた重ね映像に置き換えるか、または直接に左目用の映像Ｌと右目用の映像Ｒより形成する重ね映像に含める表示信号ソースである。このほか、表示モジュール２１は液晶表示ディスプレイ（Ｌｉｑｕｉｄ  Ｃｒｙｓｔａｌ  Ｄｉｓｐｌａｙ，ＬＣＤ）、プラズマディスプレイパネル（Ｐｌａｓｍａ  Ｄｉｓｐｌａｙ  Ｐａｎｅｌ，ＰＤＰ）、表面伝導電子エミッタディスプレイ（Ｓｕｒｆａｃｅ  ｃｏｎｄｕｃｔｉｏｎ  Ｅｌｅｃｔｒｏｎ−ｅｍｉｔｔｅｒ  Ｄｉｓｐｌａｙ，ＳＥＤ）、フィールドエミッションディスプレイ（Ｆｉｅｌｄ  Ｅｍｉｓｓｉｏｎ  Ｄｉｓｐｌａｙ，ＦＥＤ）、真空蛍光表示管（Ｖａｃｕｕｍ  Ｆｌｕｏｒｅｓｃｅｎｔ  Ｄｉｓｐｌａｙ，ＶＦＤ）、有機発光ダイオードディスプレイ（Ｏｒｇａｎｉｃ  Ｌｉｇｈｔ−Ｅｍｉｔｔｉｎｇ  Ｄｉｏｄｅ，ＯＬＥＤ）または電子ペーパー  （Ｅ−Ｐａｐｅｒ）のいずれかである。
【００３０】
電気変色モジュール２２は第１透明基板２２１、第１透明導電素子２２２、複数の第１電気変色素子２２３、一つの第２透明導電素子２２４、第２透明基板２２５、第３透明導電素子２２６、複数の第２電気変色素子２２７、一つの第４透明導電素子２２８、一つの第３透明基板２２９、複数の第１バリア素子２２２０と複数の第２バリア素子２２２１、とを備える。
【００３１】
第１透明基板２２１は表示モジュール２１の上部表面に設けられている。第１透明導電素子２２２は、第１透明基板２２１の上方に設けられている。そのうち、第１透明基板２２１、第２透明基板２２５と第３透明基板２２９は平板状、薄い片状と透明状であっても良い。第１透明基板２２９、第２透明基板２２５と第３透明基板２２９の材料はプラスチック、高分子プラスチック、ガラスまたは樹脂、テレフタル酸ポリエチレン（ｐｏｌｙｅｔｈｙｌｅｎｅ  Ｔｅｒｅｐｈｔｈａｌａｔｅ，ＰＥＴ）、ポリカーボネート（Ｐｏｌｙ  Ｃａｒｂｏｎａｔｅ，ＰＣ）、ポリエチレン（ｐｏｌｙｅｔｈｙｌｅｎｅ，ＰＥ）、ポリ塩化ビニル（Ｐｏｌｙ  Ｖｉｎｙｌ  Ｃｈｌｏｒｉｄｅ，ＰＶＣ）、ポリメタクリル酸メチル（Ｐｏｌｙｍｅｔｈｙｌｍｅｔｈａｃｒｙｌａｔｅ，ＰＭＭＡ）またはこれらと混合されたラスチックポリマのいずれかである。
【００３２】
そのうち、第１透明導電素子２２２、第２透明導電素子２２４、第３透明導電素子２２６及び第４透明導電素子２２８の材料は、インジウムドープ酸化スズ（Ｉｎｄｉｕｍ  Ｔｉｎ  Ｏｘｉｄｅ，  ＩＴＯ）、インジウム酸化亜鉛（Ｉｎｄｉｕｍ  Ｚｉｎｃ  Ｏｘｉｄｅ，  ＩＺＯ）、アルミニウム含有酸化亜鉛（Ａｌ−ｄｏｐｅｄ  ＺｎＯ，  ＡＺＯ）及び酸化アンチモン錫（Ａｎｔｉｍｏｎｙ  Ｔｉｎ  Ｏｘｉｄｅ，  ＡＴＯ）より組み合わせる不純物ドープ酸化物（Ｉｍｐｕｒｉｔｙ−Ｄｏｐｅｄ  Ｏｘｉｄｅｓ）グループのいずれかである。
【００３３】
そのうち、第１透明導電素子２２２、第２透明導電素子２２４、第３透明導電素子２２６及び第４透明導電素子２２８の材料はポリエチレンジオキシチオフェン（Ｐｏｌｙ−３，４−Ｅｔｈｙｌｅｎｅｄｉｏｘｙｔｈｉｏｐｈｅｎｅ，ＰＥＤＯＴ）、ポリアニリン（ｐｏｌｙａｎｉｌｉｎｅ）または名のカーボンチューブ（ｃａｒｂｏｎ  ｎａｎｏｔｕｂｅ）である。
【００３４】
第１電気変色素子２２３は第１透明導電素子２２２の上方に設けられている。第２透明導電素子２２４は第１電気変色素子２２３の上方に設けることにより、第１電気変色素子２２３を第１透明導電素子２２２と第２透明導電素子２２４との間に取り付けることができる。前記第２透明基板２２５は第２透明導電素子２２４の上方に設けられている。第３透明導電素子２２６は、第２透明基板２２５の上方に設けられている。第２電気変色素子２２７は第３透明導電素子２２６の上方に設けられている。第４透明導電素子２２８は第２電気変色素子２２７の上方に設けることにより、第２電気変色素子２２７を第３透明導電素子２２６と第４透明導電素子２２８との間に設けることができる。前記第３透明基板２２９は、第４透明導電素子２２８の上方に設けられている。本実施例において、第１電気変色素子２２３と第２電気変色素子２２７すべては溶液形の電気変色材料である。第１バリア素子２２２０は間隔置きに第１電気変色素子２２３の間に設け、第１電気変色素子２２３を仕切り／閉鎖することによって、第１電気変色素子２２３が変色するときにグリッド状を形成する。第２バリア素子２２２１は間隔置きに第２電気変色素子２２３の間に設け、第２電気変色素子２２７を仕切り／閉鎖することによって、第２電気変色素子２２７が変色するときにグリッド状を形成する。本実施例において、第１バリア素子２２２０と第２バリア素子２２２１はフォトレジスト（ｐｈｏｔｏｒｅｓｉｓｔ）、二酸化ケイ素（ＳｉＯ2）を用いるが、この限りでない。
なお、第１電気変色素子２２３と第２電気変色素子２２７はガラス、プラスチック、金属、ＵＶグルーまたはその他固化形ぐる材によって第１電気変色素子２２３を第１、第２透明基板の間にパッケージし（図示しない）、第２電気変色素子２２７を第２、第３透明基板の間にパッケージする（図示しない）。
【００３５】
そのうち、第１電気変色素子２２３と第２電気変色素子２２５は異なる方向に設置され、正交して配列することが好ましい。ただし、この限りでない。すなわち、第１電気変色素子２２３を水平に配列するときは、第２電気変色素子２２７を垂直に配列する。逆の場合、第１電気変色素子２２７を垂直に配列するときは、第２電気変色素子２２７を水平に配列する。第１バリア素子２２２０と第２バリア素子２２２１はそれぞれ第１電気変色素子２２３と第２電気変色素子２２７の配列方式に合わせて、正交して配列する。
【００３６】
このほか、第１電気変色素子２２３と第２電気変色素子２２７は少なくとも一種の有機電気変色材料と、少なくとも一種の無機電気変色材料を溶剤の中に溶かしてなる。ただし、この限りでない。有機電気変色材料は一つまたは複数種を選択でき、無機電気変色材料も一つまたは複数種を選択し、混合してなる。
【００３７】
有機電気変色材料は、酸化還元指示薬（Ｒｅｄｏｘ  Ｉｎｄｉｃａｔｏｒ）、酸塩基指示薬（ａｃｉｄ−ｂａｓｅ  ｉｎｄｉｃａｔｏｒ）またはその他有機化合物より選択することができる。
【００３８】
そのうち、酸化還元指示薬はメチレンブルー（Ｍｅｔｈｙｌｅｎｅ  ｂｌｕｅ，  Ｃ16Ｈ18ＣｌＮ3Ｓ・３Ｈ2Ｏ）、ビオローゲン、Ｎ−フェニルアントラニル酸（Ｃ13Ｈ11ＮＯ2）、ジフェニルアミンスルホン酸ナトリウム（Ｃ12Ｈ10ＮＮａＯ3Ｓ）、ジクロロフェノールインドフェノールナトリウム（Ｄｉｃｈｌｏｒｏｐｈｅｎｏｌｉｎｄｏｐｈｅｎｏｌ  ｓｏｄｉｕｍ，  Ｃ12Ｈ6Ｃｌ2ＮＮａＯ2）、ジフェニルアミンスルホン酸ナトリウム、（Ｎ，Ｎ’−Ｄｉｐｈｅｎｙｌｂｅｎｚｉｄｉｎｅ，  Ｃ20Ｈ20Ｎ2）ルアントラニル酸などを使用する。そのうち、ビオローゲン（Ｖｉｏｌｏｇｅｎ）はＲ置換基の炭素鎖長または構造により様々な色として現れる。なお、Ｒ置換基はメチル基（Ｍｅｔｈｙｌ）、エチル基（Ｅｔｈｙｌ）、プロピル基（Ｐｒｏｐｙｌ）、ブチル基（Ｂｕｔｙｌ）、ペンチル基（Ｐｅｎｔｙｌ）、ヘキシル基（Ｈｅｘｙｌ）、ヘプチル基（Ｈｅｐｔｙｌ）、オクチル基（Ｏｃｔｙｌ）、イソペンチル基（Ｉｓｏ−ｐｅｎｔｙｌ）またはベンジル基（Ｂｅｎｚｙｌ）のいずれかである。その実施例は以下のものがある。  １，１’−ジメチル−４，４’−ビピリジニウムジクロリド水和物（１，１’−Ｄｉｍｅｔｈｙｌ−４，４’−ｂｉｐｙｒｉｄｉｎｉｕｍ  Ｄｉｃｈｌｏｒｉｄｅ  Ｈｙｄｒａｔｅ，  ＭＶ）、１，１’−ジヘプチル−４，４’−ビピリジニウムジブロミド（１，１’−Ｄｉｈｅｐｔｙｌ−４，４’−ｂｉｐｙｒｉｄｉｎｉｕｍ  Ｄｉｂｒｏｍｉｄｅ，  ＨＶ）、１，１’−ジベンジル−４，４’−ビピリジニウムジクロリド水和物（１，１’−Ｄｉｂｅｎｚｙｌ−４，４’−ｂｉｐｙｒｉｄｉｎｉｕｍ  Ｄｉｃｈｌｏｒｉｄｅ  Ｈｙｄｒａｔｅ，  ＢＶ）、１，１’−１，１’−ビス（２，４−ジニトロフェニル）−４，４’−ビピリジニウムジクロリド  （１，１’−Ｂｉｓ（２，４−ｄｉｎｉｔｒｏｐｈｅｎｙｌ）−４，４’−ｂｉｐｙｒｉｄｉｎｉｕｍ  Ｄｉｃｈｌｏｒｉｄｅ）、１，１’−ジ−ｎ−オクチル−４，４’−ビピリジニウムジブロミド（１，１’−Ｄｉ−ｎ−ｏｃｔｙｌ−４，４’−ｂｉｐｙｒｉｄｉｎｉｕｍ  Ｄｉｂｒｏｍｉｄｅ，  Ｏｃｔｙｌ）、１，１’−ジフェニル−４，４’−ビピリジニウムジクロリド（１，１’−Ｄｉｐｈｅｎｙｌ−４，４’−ｂｉｐｙｒｉｄｉｎｉｕｍ  Ｄｉｃｈｌｏｒｉｄｅ）、４，４’−ビピリジル  （４，４’−Ｂｉｐｙｒｉｄｙｌ）等。
【００３９】
好ましい酸塩基指示薬は、バリアミンブルーＢジアゾニウム塩Ｂ（Ｖａｒｉａｍｉｎｅ  Ｂｌｕｅ  Ｂ  Ｄｉａｚｏｎｉｕｍ  ｓａｌｔ、Ｃ13Ｈ12ＣｌＮ3Ｏ）である。
【００４０】
好ましい有機化合物は、フェロセン（Ｆｅｒｒｏｃｅｎｅ，  Ｆｅ（Ｃ5Ｈ5）2）、７，７，８，８−テトラシアノキノジメタン（７，７，８，８−Ｔｅｔｒａｃｙａｎｏｑｕｉｎｏｄｉｍｅｔｈａｎｅ）である。
【００４１】
そのうち、無機電気変色材料は、遷移元素の酸化物、硫化物、塩化物、水酸化物等の無機派生物であり、遷移元素はスカンジウム亜族（ＩＩＩＢ）、チタニウム亜族（ＶＢ）、クロム亜族（ＶＩＢ）、マンガン亜族（ＶＩＩＢ）、鉄族（ＶＩＩＩＢ）、銅亜族（ＩＢ）、亜鉛亜族（ＩＩＢ）、バナジウム亜族（ＶＢ）または白金系（第５，６周期ＶＩＩＩＢ）などである。
【００４２】
または、無機電気変色材料はハロゲン族（ＶＩＩＡ）、酸素族（ＶＩＡ）、窒素族（ＶＡ）、カーボン族（ＩＶＡ）、ボロン族（ＩＩＩＡ）、アルカリ土族（ＩＩＡ）、アルカリ金属族（ＩＡ）など無機派生物である。
【００４３】
そのうち、無機電気変色材料は塩化第一鉄（ＦｅＣｌ2）、塩化第二鉄（ＦｅＣｌ3）、三塩化チタン（ＴｉＣｌ3）、四塩化チタン（ＴｉＣｌ4）、塩化ビスマス（ＩＩＩ）（ＢｉＣｌ3）、塩化銅（ＣｕＣｌ2）または臭化リチウム（ＬｉＢｒ）より選択することが好ましい。
【００４４】
溶剤の材料は主に、ジメチルスルホキシド［（ＣＨ3）2ＳＯ］、炭酸プロピレン（Ｃ4Ｈ6Ｏ3）、水（Ｈ2Ｏ）、γ−ブチロラクトン、アセトニトリル、シアン化エチル、ベンゾニトリル、グルタロニトリル、メチルグルタロニトリル、３，３’−オキシジプロピオニトリルヒドロキシプロピオニトリル、ジメチルホルムアミ、Ｎ−メチルピロリジンケトン、スルホラン、３−メチルスルホランまたはその混合物を用いる。
【００４５】
また、電気変色部材は液体のため液漏れの問題があり、かつ変色するときに形成する光格子の線状は外部より僅かな力量を加わることで形状変化を引き起こすことを防止すため、電気変色部材２４において、電解質または高分子化合物を備えている。これにより、前述の課題が解決されるほか、変色の均一度とも純液体物質より良い。そのうち、電解質は過塩素酸リチウム（ＬｉＣｌＯ4）、水酸化カリウム（ＫＯＨ）、水酸化ナトリウム（ＮａＯＨ）またはケイ酸ナトリウム（Ｎａ2ＳｉＯ3）であっても良い。一方、高分子化合物は高フッ化樹脂、ポリ（２−アクリルアミド−２−メチル−１−プロパンスルホン酸）  （Ｐｏｌｙ（２−ａｃｒｙｌａｍｉｄｏ−２−ｍｅｔｈｙｌ−１−ｐｒｏｐａｎｅｓｕｌｆｏｎｉｃ  ａｃｉｄ，  ＰＡＭＡＳ）、ポリビニルアルコールりん酸（  ｐｏｌｙ（ｖｉｎｙｌａｌｃｏｈｏｌ  ｐｈｏｓｐｈｏｒｉｃ  ａｃｉｄ，  ＰＡＶＡ）、ポリエチレンオキシド（  Ｐｏｌｙｅｔｈｙｌｅｎｅ  ｏｘｉｄｅ，  ＰＥＯ）、ポリエチレンイミン（ｐｏｌｙｅｔｈｙｌｅｎｅｉｍｉｎｅ，  ＰＥＩ）、テトラブチルアンモニウムテトラフルオロボラート（Ｔｅｔｒａｂｕｔｙｌａｍｍｏｎｉｕｍ  ｔｅｔｒａｆｌｕｏｒｏｂｏｒａｔｅ）、ポリメタクリル酸メチル（ＰＭＭＡ）、フェニルりん酸（Ｐｈｅｎｙｌ  Ａｃｉｄ  Ｐｈｏｓｐｈａｔｅ，  ＰＡＰ）、ポリビニルピロリドン（Ｐｏｌｙｖｉｎｙｌ  Ｐｙｒｒｏｌｉｄｏｎｅ，  ＰＶＰ）のうち一種または多種の混合物を選択する。
【００４６】
第１電気変色素子２２３と第２電気変色素子２２７の稼動原理は、有機電気変色材料と無機電気変色材料の相補効果を利用することによって、材料自体に酸化および還元反応の特性をもたせる。透明導電素子より電子を提供し、電子の移動と伝送することにより、電気変色材料のイオン価を改変し変色を引き起こす。この種の駆動方式は、公知技術の電気変色材料による電子とイオンを同時に搬入と搬出することによって、変色を実現する方式に対して、電気変色の速度は速く、均一、かつ駆動電圧が小さく、寿命が長い特長を有する。さらに、紫外光（ＵＶ）よりエネルギーを提供しても、導電素子の電子の移動と伝送、変色効果を実現できる。前述第１電気変色素子２２３と第２電気変色素子２２７は導電高分子と混ぜ合わせて電気変色インキを仕上げ、スクリーン印刷と組み合わせて使用することができる。
【００４７】
前述無機電気変色材料の族種を以下のとおり説明する。
【００４８】
ハロゲン族（ＶＩＩＡ族元素）：
【００４９】
固形：Ｉ2  暗紫色；ＩＣｌ  暗赤色；ＩＢｒ  濃い灰色；ＩＦ3  黄色；ＩＣｌ3  オレンジ色；Ｉ2Ｏ5  白色；  Ｉ2Ｏ4  黄色（イオン結晶）；Ｉ4Ｏ9  黄色（イオン結晶）。
【００５０】
酸素族（ＶＩＡ族元素）：
【００５１】
固形：Ｓ  レモン色；Ｓｅ  灰色、茶色；Ｔｅ  無色金属光沢；Ｎａ2Ｓ，（ＮＨ4）2Ｓ，Ｋ2Ｓ，ＢａＳ  白色、可溶性；ＺｎＳ  白色↓；ＭｎＳ  肌色↓；ＦｅＳ  黒色↓；ＰｂＳ  黒色↓；ＣｄＳ  黄色↓；Ｓｂ2Ｓ3  タンジェリン色↓；ＳｎＳ  茶色↓；ＨｇＳ  黒色（沈殿）、赤色（シン砂）；Ａｇ2Ｓ  黒色↓；ＣｕＳ  黒色↓；Ｎａ2Ｓ2Ｏ3  白色；Ｎａ2Ｓ2Ｏ4  白色；  ＳｅＯ2  白色、揮発しやすい；ＳｅＢｒ2  赤色；ＳｅＢｒ4  黄色；ＴｅＯ2  白色加熱により黄色に変わる；Ｈ2ＴｅＯ3  白色；ＴｅＢｒ2  茶色；ＴｅＢｒ4  オレンジ色；ＴｅＩ4  濃い灰色；ＰｏＯ2  低温黄色（面心立方）、高温赤色（四方）；ＳＯ3  無色；ＳｅＯ3  無色湿気により、解離しやすい；ＴｅＯ3  オレンジ色；Ｈ6ＴｅＯ6  無色。
【００５２】
窒素族（ＶＡ族元素）：
【００５３】
固形：  アンモニウム塩  無色金属；窒化金属  白色；Ｎ2Ｏ3青色（低温）；Ｎ2Ｏ5白色；Ｐ白色、赤色、黒色；Ｐ2Ｏ3白色；Ｐ2Ｏ5白色；ＰＢｒ3黄色；ＰＩ3紅；ＰＣｌ5無色；Ｐ4Ｓｘ黄色；Ｐ2Ｓ3灰黄色；Ｐ2Ｓ5黄色；Ｈ4Ｐ2Ｏ7無色ガラス状；Ｈ3ＰＯ2白色；Ａｓ  灰；Ａｓ2Ｏ3  白色；Ａｓ2Ｏ5  白色；ＡｓＩ3赤色；Ａ4Ｓ4赤色（雄黄）；Ａｓ4Ｓ6黄色（石黄）；Ａｓ2Ｓ5  レモン色；Ｓｂ  銀白；Ｓｂ（ＯＨ）3白色↓；Ｓｂ2Ｏ3白色（テルル白色、顔料）；Ｓｂ2Ｏ5レモン色；ＳｂＸ3（Ｘ＜＞Ｉ）  白色；ＳｂＩ3赤色；Ｓｂ2Ｏ3タンジェリン↓；Ｓｂ2Ｓ5オレンジ色；Ｂｉ  銀白赤気味；Ｂｉ2Ｏ3レモン色；Ｂｉ2Ｏ5赤茶色；ＢｉＦ3灰白；ＢｉＣｌ3白色；ＢｉＢｒ3黄色；ＢｉＩ3黒↓；Ｂｉ2Ｏ3暗褐黒色。
【００５４】
カーボン族（ＩＶＡ族元素）：
【００５５】
固形：Ｃ（金剛石）  無色透明；Ｃ（黒鉛）  黒金属光沢；Ｓｉ  濃い灰色金属光沢；Ｇｅ  淡灰白色；Ｓｎ  銀白色；Ｐｂ  濃い灰色；ＳｉＯ2無色透明；Ｈ2ＳｉＯ3無色透明グルー↓；Ｎａ2ＳｉＦ6白色結晶；ＧｅＯ  黒色；ＧｅＯ2白色；ＳｎＯ  黒色；ＳｎＯ2白色；Ｓｎ（ＯＨ）2白色↓；ＰｂＯ黄色または黄色がかった赤；Ｐｂ2Ｏ3オレンジ色；Ｐｂ3Ｏ4赤色；ＰｂＯ2  茶色；ＣＢｒ4レモン色；ＣＩ4ピンク色；ＧｅＩ2オレンジ色；ＧｅＢｒ2  黄色；ＧｅＦ4白色；ＧｅＢｒ4淡灰白色；ＧｅＩ4黄色；ＳｎＦ2白色；ＳｎＣｌ2  白色；ＳｎＢｒ2レモン色；ＳｎＩ2オレンジ色；ＳｎＦ4  白色；ＳｎＢｒ4無色；ＳｎＩ4赤色；ＰｂＦ2無色↓；ＰｂＣｌ2白色↓；ＰｂＢｒ2白色；ＰｂＩ2金色；ＰｂＦ4無色；ＧｅＳ  赤色；ＧｅＳ2白色；ＳｎＳ  茶色↓；ＳｎＳ2金色（俗称「金粉」）↓；ＰｂＳ  黒色↓；ＰｂＳ2赤茶色；Ｐｂ（ＮＯ3）2無色；Ｐｂ（Ａｃ）2・３Ｈ2Ｏ  無色結晶；ＰｂＳＯ4白色↓；ＰｂＣＯ3白色↓；Ｐｂ（ＯＨ）2  白色↓；Ｐｂ3（ＣＯ3）2（ＯＨ）2鉛白色↓；ＰｂＣｒＯ4山吹色↓。
【００５６】
ホウ素族（ＩＩＩＡ族元素）：
【００５７】
固形：Ｂ（定形がない）  茶色粉末；Ｂ（結晶）  黒灰；Ａｌ  銀白色；Ｇａ  銀白色（液化しやすい）；Ｉｎ  銀灰色；  Ｔｌ  銀灰色；Ｂ2Ｏ3ガラス状；Ｈ3ＢＯ3無色片状；ＢＮ  白色；Ｎａ2Ｂ4Ｏ7・１０Ｈ2Ｏ白色結晶；Ｃｕ（ＢＯ2）2  青色↓；Ｎｉ（ＢＯ2）2緑↓；ＮａＢＯ2・Ｃｏ（ＢＯ2）2青色↓；ＮａＢＯ2・４Ｈ2Ｏ無色結晶；無水ＮａＢＯ2黄水晶；Ａｌ2Ｏ3白色結晶；ＡｌＦ3無色；ＡｌＣｌ3白色；ＡｌＢｒ3白色；ＡｌＩ3棕；Ａｌ（ＯＨ）3白色↓；Ｇａ2Ｏ3白色↓Ｇａ（ＯＨ）3  白色↓；ＧａＢｒ3  白色；ＧａＩ3黄色；Ｉｎ2Ｏ3黄色；ＩｎＢｒ3白；ＩｎＩ3黄色；ＴＩＯＨ  黄色；Ｔｌ2Ｏ  黒色；Ｔｌ2Ｏ3暗褐黒色；ＴｌＣｌ  白色↓；ＴｌＢｒ  淡黄色↓；ＴｌＩ  黄色↓（銀色に近い）；ＴｌＢｒ3黄色；ＴｌＩ3黒色。
【００５８】
アルカリ土族（ＩＩＡ族元素）
【００５９】
単純物質：銀白色。
【００６０】
火炎色：Ｃａ  ブリックレッド；Ｓｒ  マゼンタ；Ｂａ  緑色。
酸化物：すべては白色固体。
【００６１】
水酸化物：白色固体  Ｂｅ（ＯＨ）2↓，Ｍｇ（ＯＨ）2↓。
【００６２】
塩：ほとんど無色または白色結晶体；ＢｅＣｌ2淡黄色；ＢａＣｒＯ4黄色↓；ＣａＦ2白色↓。
【００６３】
アルカリ金属（ＩＡ族元素）：
【００６４】
単純物質：銀白色。
【００６５】
火炎色：Ｌｉ  赤色；Ｎａ  黄色；Ｋ紫色；Ｒｂ  マゼンタ；Ｃｓ  マゼンタ。
【００６６】
酸化物、過酸化物、超酸化物、オゾン化物：Ｌｉ2Ｏ  白色；Ｎａ2Ｏ  白色；Ｋ2Ｏ  レモン色；Ｒｂ2Ｏ山吹色；Ｃｓ2Ｏ橙赤色；Ｎａ2Ｏ2レモン色；ＫＯ2オレンジ色；ＲｂＯ2こげ茶色；ＣｓＯ2暗黄灰色；ＫＯ3シトラスレッド。
【００６７】
水酸化物：白色、ＬｉＯＨ白色↓。
【００６８】
塩：ほとんどが無色または白色結晶、かつ水に溶けやすい。
【００６９】
不溶性塩類↓（注記のないものはすべて白色結晶である）：ＬｉＦ  Ｌｉ2ＣＯ3  Ｌｉ3ＰＯ4  ＬｉＫFeＩＯ6  Ｎａ［Ｓｂ（ＯＨ）6］  ＮａＺｎ（ＵＯ2）3（Ａｃ）9・６Ｈ2Ｏ  黄緑色；Ｍ=Ｋ，Ｒｂ，Ｃｓ  Ｍ3［Ｃｏ（ＮＯ2）6］山吹色；ＭＢＰｈ4  ＭＣｌＯ4  Ｍ2ＰｔＣｌ6レモン色；ＣｓＡｕＣｌ4。
【００７０】
銅亜族（ＩＢ族元素）：
【００７１】
単純物質：Ｃｕ  マゼンタまたは暗赤色；Ａｇ  銀白色；Ａｕ  金色。
【００７２】
銅化合物：火炎色  緑色；ＣｕＦ  赤色；ＣｕＣｌ  白色↓；ＣｕＢｒ黄色↓；ＣｕＩ茶黄色↓；ＣｕＣＮ白色↓；Ｃｕ2Ｏ暗赤色；Ｃｕ2Ｓ黒色；ＣｕＦ2白色；ＣｕＣｌ2茶黄色（溶液は黄緑色）；ＣｕＢｒ2茶黄色；Ｃｕ（ＣＮ）2茶黄色；  ＣｕＯ黒色↓；ＣｕＳ黒色↓；ＣｕＳＯ4無色；ＣｕＳＯ4・５Ｈ2Ｏ青色；Ｃｕ（ＯＨ）2ライトブルー↓；Ｃｕ（ＯＨ）2・ＣｕＣＯ3黒緑色；［Ｃｕ（Ｈ2Ｏ）4］2+青緑色；［Ｃｕ（ＯＨ）4］2-青みがかった）紫色；［Ｃｕ（ＮＨ3）4］2+濃青色；［ＣｕＣｌ4］2-黄色；［Ｃｕ（ｅｎ2）2+濃青紫色；Ｃｕ2［Ｆｅ（ＣＮ）6］赤茶色；アルキン銅  赤色↓。
【００７３】
銀化合物：ＡｇＯＨ白色（常温は分解する）；Ａｇ2Ｏ黒色；ＡｇＯＨ茶黄色（Ａｇ2Ｏ混入）；プロテイン銀（ＡｇＮＯ3を手に滴下する）黒色↓；ＡｇＦ白色；ＡｇＣｌ白色↓；ＡｇＢｒレモン色↓；ＡｇＩ黄色↓（膠質）；Ａｇ2Ｓ黒色↓；Ａｇ4［Ｆｅ（ＣＮ）6］白色↓；Ａｇ3［Ｆｅ（ＣＮ）6］白色↓；Ａｇ+，［Ａｇ（ＮＨ３）2］+，［Ａｇ（Ｓ2Ｏ３）2］3-，［Ａｇ（ＣＮ）2］−無色。
【００７４】
金化合物：ＨＡｕＣｌ4・３Ｈ2山吹色結晶；ＫＡｕＣｌ4・１.５Ｈ2Ｏ  無色片状結晶；Ａｕ2Ｏ3黒色；Ｈ［Ａｕ（ＮＯ3）4］・３Ｈ2Ｏ  黄色結晶；ＡｕＢｒ  灰黄色↓；ＡｕＩ  レモン色↓。
【００７５】
亜鉛亜族（ＩＩＢ族元素）：
【００７６】
単純物質：すべて銀白色、Ｈｇは水溶液に沈殿して黒色となる。
【００７７】
亜鉛化合物：ＺｎＯ  白色（亜鉛華顔料）↓；ＺｎＩ2  無色；ＺｎＳ  白色↓；ＺｎＣｌ2白色結晶（溶解度が極めて大きく水溶液は酸性を帯び）；Ｋ3Ｚｎ3［Ｆｅ（ＣＮ）6］白色；Ｚｎ3［Ｆｅ（ＣＮ）6］2黄褐色。
【００７８】
カドミウム化合物：ＣｄＯ茶灰色↓；ＣｄＩ2  黄色；ＣｄＳ黄色（カドミウム黄色顔料）↓；ＨｇＣｌ2（昇汞）  白色；ＨｇＮＨ2Ｃｌ  白色↓；Ｈｇ2Ｃｌ2（甘汞）  白色↓。
【００７９】
水銀化合物：ＨｇＯ  赤色（粗粒子）または黄色（小さい粒子）↓；ＨｇＩ2赤または黄色（かすかに溶解）；ＨｇＳ  黒または赤色↓；Ｈｇ2ＮＩ・Ｈ2Ｏ赤色↓；Ｈｇ2（ＮＯ3）2無色結晶。
【００８０】
ＺｎＳ蛍光体：Ａｇ  青色；Ｃｕ黄緑色；Ｍｎ  オレンジ色。
【００８１】
チタニウム亜族（ＩＶＢ族元素）：
【００８２】
チタニウム化合物：Ｔｉ3+マゼンタ；  ［ＴｉＯ（Ｈ2Ｏ2）2］2+オレンジ色；Ｈ2ＴｉＯ3白色↓；ＴｉＯ2白色（亜鉛華顔料）またはピンク（ルチル）↓；（ＮＨ4）2ＴｉＣｌ6黄色水晶；［Ｔｉ（Ｈ2Ｏ）6］Ｃｌ3  紫水晶；［Ｔｉ（Ｈ2Ｏ）5Ｃｌ］Ｃｌ2・Ｈ2Ｏ  緑色水晶；ＴｉＣｌ4無色発煙液体。
【００８３】
ジルコニウム、ハフニウム：ＭＯ2，ＭＣｌ4白色
【００８４】
バナジウム亜族（ＶＢ族元素）：
【００８５】
バナジウム化合物：Ｖ2+紫色；Ｖ3+緑色；ＶＯ2+  青色；Ｖ（ＯＨ）4-黄色；ＶＯ43-黄色；ＶＯ  黒色；Ｖ2Ｏ3濃い灰色；Ｖ2Ｓ3  茶黒色；ＶＯ2青色固体；ＶＦ4緑色固体；ＶＣｌ4濃い茶色液体；ＶＢｒ4マゼンタ液体；Ｖ2Ｏ5黄色またはブリックレッド；水合Ｖ2Ｏ5茶赤色；飽和Ｖ2Ｏ5溶液（かすかに溶解）  レモン色；［ＶＯ2（Ｏ2（Ｏ2）2）3-黄色；［Ｖ（Ｏ2）3］3-赤茶色。
【００８６】
凝縮バナジウム酸塩：バナジウム酸素原子数の減少に従い、淡黄色〜深紅色〜淡黄色に変色する。
【００８７】
ニオブ、タンタル：略。
【００８８】
クロム亜族（ＶＩＢ族元素）：
【００８９】
クロム化合物：Ｃｒ2+青色、Ｃｒ3+紫色、Ｃｒ2Ｏ72-橙赤色、ＣｒＯ42-黄色、Ｃｒ（ＯＨ）4-鮮緑色；Ｃｒ（ＯＨ）3納戸色；Ｃｒ2Ｏ3緑色、ＣｒＯ3暗赤針状、［ＣｒＯ（Ｏ2）2］ＯＥｔ2青色、ＣｒＯ2Ｃｌ2暗赤色液体、Ｎａ2Ｃｒ2Ｏ7，Ｋ2ＣｒＯ7橙赤色、Ａｇ2ＣｒＯ4ブリックレッド↓；ＢａＣｒＯ4黄色↓；ＰｂＣｒＯ4黄色↓。
【００９０】
マゼンタＣｒ2（ＳＯ4）3・１８Ｈ2Ｏ→緑色Ｃｒ2（ＳＯ4）3・６Ｈ2Ｏ→ピンク色Ｃｒ2（ＳＯ4）3。
【００９１】
暗緑色［Ｃｒ（Ｈ2Ｏ）4Ｃｌ2］Ｃｌ−冷却ＨＣｌ→紫色［Ｃｒ（Ｈ2Ｏ）6］Ｃｌ3−エーテルＨＣｌ→薄緑色［Ｃｒ（Ｈ2Ｏ）5Ｃｌ］Ｃｌ2
【００９２】
［Ｃｒ（Ｈ2Ｏ）6］3+紫色［Ｃｒ（Ｈ2Ｏ）4（ＮＨ3）2］3+マゼンタ、［Ｃｒ（Ｈ2Ｏ）3（ＮＨ3）3］3+桃色、［Ｃｒ（Ｈ2Ｏ）2（ＮＨ3）4］3+橙赤色、［Ｃｒ  （ＮＨ3）5Ｈ2Ｏ］3+オレンジ色、［Ｃｒ（ＮＨ3）6］3+黄色。
【００９３】
モリブデン、タングステン：ＭｏＯ3白色：茶色ＭｏＣｌ3；緑色ＭｏＣｌ５；ＭｏＳ3茶色↓；（ＮＨ4）3［Ｐ（Ｍｏ１2Ｏ4０）］・６Ｈ2Ｏ黄色結晶状↓；ＷＯ3暗黄色；Ｈ2ＷＯ4・ｘＨ2Ｏ白色膠質。
【００９４】
マンガン亜族（ＶＩＩＢ族元素）：
【００９５】
マンガン化合物：Ｍｎ2+肉紅；Ｍｎ3+紫紅；ＭｎＯ42-緑色；ＭｎＯ4-紫色；ＭｎＯ3+鮮緑色；Ｍｎ（ＯＨ）2白色↓；ＭｎＯ（ＯＨ）2茶色↓；ＭｎＯ2黒色↓；硫酸マンガン（ＭｎＳＯ4）白色結晶体；マンガン塩六水化物（ＭｎＸ2・６Ｈ2，  Ｘ=ハロゲンＮＯ3，ＣｌＯ4）ピンク色；ＭｎＳ・ｎＨ２2肌色↓；無水ＭｎＳ濃緑色；ＭｎＣＯ3白色↓；Ｍｎ3（ＰＯ4）2白色↓；ＫＭｎＯ4マゼンタ；Ｋ2ＭｎＯ4緑色；Ｋ2［ＭｎＦ6］金色結晶体；Ｍｎ2Ｏ7茶色油状液体。
【００９６】
テクネチウム、レニウム：略。
【００９７】
鉄族（第４周期ＶＩＩＩ族元素）：
【００９８】
鉄化合物：Ｆｅ2+  淺緑；［Ｆｅ（Ｈ2Ｏ）6］3+  淺紫；［Ｆｅ（ＯＨ）（Ｈ2Ｏ）5］2+  黄；ＦｅＯ42-  紫紅；ＦｅＯ  黒；Ｆｅ2Ｏ3    暗赤色；Ｆｅ（ＯＨ）  2白色↓；Ｆｅ（ＯＨ）  3赤褐色↓；ＦｅＣｌ3またはＦｅＣｌ2結晶  赤褐色  青；無水ＦｅＳＯ4白色；ＦｅＳＯ4・７Ｈ2Ｏ緑色；Ｋ4  ［Ｆｅ（ＣＮ）6］（黄血塩）黄色結晶；Ｋ3［Ｆｅ（ＣＮ）6］（赤血塩）赤色結晶；Ｆｅ［Ｆｅ（ＣＮ）6］フェロシアン化第二鉄↓；Ｆｅ［Ｆｅ（ＣＮ）  6］黒色↓；Ｆｅ（Ｃ5Ｈ5）2  （フェロセン）オレンジ色結晶；Ｍ2Ｆｅ6（ＳＯ4）4（ＯＨ）12  （ジャロサイト、Ｍ=ＮＨ4，  Ｎａ，  Ｋ）淡黄色結晶；Ｆｅ（ＣＯ）  5黄色液体。
【００９９】
コバルト化合物Ｃｏ2+ピンク色；ＣｏＯセージグリーン；Ｃｏ3Ｏ4黒色；Ｃｏ（ＯＨ）  3茶色↓；Ｃｏ（ＯＨ）  2ピンク色↓；Ｃｏ（ＣＮ）  2赤色；Ｋ4［Ｃｏ（ＣＮ）6］紫色結晶；Ｃｏ2  （ＣＯ）  8黄色結晶；［Ｃｏ（ＳＣＮ）  6］4-紫色；
【０１００】
塩化コバルト脱水変色：ピンク色ＣｏＣｌ2・６Ｈ2Ｏ−３２５Ｋ→マゼンタＣｏＣｌ2・２Ｈ2Ｏ−３ｌ３Ｋ→青紫色ＣｏＣｌ2・Ｈ2Ｏ−３９３Ｋ→青色ＣｏＣｌ2。
【０１０１】
ニッケル化合物：Ｎｉ2+鮮緑色；［Ｎｉ（ＮＨ3）6］2+紫色；Ｎｉ（ＯＨ）2緑色↓；Ｎｉ（ＯＨ）  3黒色↓；無水Ｎｉ（ＩＩ）塩  黄色；Ｎａ2［Ｎｉ（ＣＮ）4］黄色；Ｋ2［Ｎｉ（ＣＮ）4］オレンジ色；Ｎｉ（ＣＯ）  4無色液体。
【０１０２】
白金系元素（第５、第６周期ＶＩＩＩ族）：
【０１０３】
Ｏｓ  青灰色揮発しやすい固体；Ｐｄ↓（ａｑ）黒色；ＯｓＯ4無色特殊臭いを有する気体；Ｈ2ＰｔＣｌ6橙赤色水晶体；Ｎａ2ＰｔＣｌ6橙赤色水晶体；Ｍ2ＰｔＣｌ6（Ｍ=Ｋ，Ｒｂ，Ｃｓ，ＮＨ4）  黄色↓。
【０１０４】
液体電気変色素子の変色原理を詳細説明するため、一例として、鉄族（ＶＩＩＩＢ）の二塩化鉄（ＦｅＣｌ2）  およびメチレンブルーの場合、溶剤はジメチルスルホキシド（ＤＭＳＯ）を用いて、相補体系の電気変色溶液を形成する。二塩化鉄の水晶粒子の色は青色（Ｆｅ2+）であり、表面酸化によって赤茶色  （Ｆｅ3+はレモン色）を形成する。もし、二塩化鉄を溶剤に溶かすと、酸化によってＦｅ2+からＦｅ3+に変化し、溶剤はレモン色に変色する。第１透明導電素子２２２、第２透明導電素子２２４、第３透明導電素子２２６または第４透明導電素子２２８から電子の提供により、透明導電素子付近部のメチレンブルー分子が電子を得て、還元反応を引き起こし、メチレンブルーは自由基に変わる。これに対して、外部からの電圧を奪われると、Ｆｅ3+とメチレンブルー自由基の電位差は異なるため、すなわち、メチレンブルー自由基の電位はＦｅ3+より低いことから、電子は自主的にメチレンブルー自由基からＦｅ3+に伝送され、レモン色Ｆｅ3+は青色Ｆｅ2+に還元し、第１電気変色素子２２３と第２電気変色素子２２７は還元によりイオン価を改変し、レモン色から青色に変わり、色を深める効果を実現し、視差バリアを形成する。第１透明導電素子２２２、第２透明導電素子２２４、第３透明導電素子２２６または第４透明導電素子２２８の電子は短絡または逆方向電圧の負荷がなくなると、第１電気変色素子２２３または第２電気変色素子２２７が酸化によってイオン価を改変したことで、青色からレモン色に変色し、褪色効果を実現する。このほか、第１電気変色素子２２３及び第２電気変色素子２２７の厚みを制御することにより、レモン色を透明無色に近い効果を実現できる。このほか、溶液の濃度、電位差、溶液の極性、ＰＨ値、両極間の距離と誘電係数の差を調節することによって、青色、紫色、ピンク色、レモン色などの色表示ができる。
【０１０５】
第１電気変色素子２２３と第２電気変色素子２２７の材料はさらに、少なくとも一種の非活性導電塩を含み、前記導電塩はリチウム、ナトリウムまたはテトラアルキルアミン塩から選択する。
【０１０６】
制御素子２３はそれぞれ第１電気変色素子２２２、第２電気変色素子２２４、第３透明導電素子２２６及び第４透明導電素子２２８に電気導通し、導電素子のバイアス電圧を制御する。
【０１０７】
感知素子２４は制御素子２３に電気導通され、感知素子２４は立体映像表示装置２が水平基準面に対する方向を検出する。本実施例において、感知素子２４はジャイロ装置（Ｇｙｒｏｓｃｏｐｅ）または光電式の方向センサーである。ただし、この限りでない。
【０１０８】
引き続き、図６乃至図９に示した本発明の立体映像表示装置の立体図、電気変色素子の第１変色態様図、立体映像結像の第１態様図と立体映像結像の第２態様図を参照して説明する。
図に示すように、立体映像表示装置２は自らの画面の平面を基準面に定義し、この基準面に垂直する軸方向を回転基軸と定義し、この基準面の水平の軸方向と垂直の軸方向をそれぞれ水平方向と垂直方向と定義する。すなわち、回転基軸に対して、１／４周を回転するたびに、第１、第２透明導電素子２２２、２２４のバイアス電圧を改変し、水平方向または垂直方向の視差バリアを切り換える。たとえば、立体映像表示装置２が水平方向に置かくとき、制御素子２３よりバイアス電圧をそれぞれ第３透明導電素子２２６と第４透明導電素子２２８に印加される。第２電気変色素子２２７は第３透明導電素子２２６または第４透明導電素子２２８の電子移動により価電子が変化し、第２電気変色素子２２７が褪色状態から変色状態に変わり、視差バリアを形成する。これにより、表示モジュール２１より形成する左目用の映像Ｌと右目用の映像Ｒによって重ね合わせた多重映像は、視差バリアより形成する遮光区域を通過した後、一部の重ね映像区域は排除されて、肉眼で視聴するとき干渉縞は発生しない。人間の目に両眼視差（Ｂｉｎｏｃｕｌａｒ  Ｄｉｓｐａｒｉｔｙ）を有するため、左目用の映像Ｌと右目用の映像Ｒはそれぞれ左目と右目によって受信した後の結像の差異は被観察物体の深さを検出および判断され、脳内にて立体映像に融合される。
【０１０９】
引き続き、図１０と図１１に示した本発明の立体映像表示装置実施例１回転後の立体図と、電気変色素子の第２電気変色態様図を参照して説明する。
使用者が立体映像表示装置を回転して、定義した基準面に対して垂直方向に置くとき、感知素子２４より検出信号２４１を制御素子２３に伝送することによって、制御素子２３よりバイアス電圧を第１透明導電素子２２２または第２透明導電素子２２４に印加すると共に、第３透明導電素子２２６または第４透明導電素子２２８の電子を短絡するか、または逆方向電圧の負荷を解除する。このとき、第２電気変色素子２２７は価電子の改変によって、着色状態から褪色状態に変わり、第２電気変色素子２２７より形成する視差バリアが消えて、第１電気変色素子２２３は価電子の改変によって、褪色状態から着色状態に変わり、視差バリアを形成する。これにより、表示モジュール２１より形成する左目用の映像Ｌと右目用の映像Ｒによって重ね合わせた多重映像は、視差バリアより形成する遮光区域を通過した後、一部の重ね映像区域は排除されて、肉眼で視聴するとき干渉縞は発生せず、脳内で立体映像に融合される。
【０１１０】
図１２乃至図１４に示した本発明の立体映像表示装置実施例２のブロック図、本発明の電気変色モジュール分解図及び本発明の電気変色モジュールの断面視図を参照して説明する。
図において、立体映像表示装置３は、表示モジュール３１、電気変色モジュール３２、制御素子３３と感知素子３４、とを備える。そのうち、感知素子３４より検出信号３４１を制御素子３３に伝送する。
【０１１１】
電気変色モジュール３２は第１透明基板３２１、第１透明導電素子３２２、第１電気変色素子３２３、第２透明導電素子３２４、第２透明基板３２５、第３透明導電素子３２、第２電気変色素子３２７、第４透明導電素子３２と第３透明基板３２９、とを含める。
【０１１２】
本実施例において、表示モジュール３１、制御素子３３、感知素子３４、第１透明基板３２１、第１電気変色素子３２３、第２電気変色素子３２５、第２透明導電素子４２６と第２透明基板４２７の構造と材料は実施例１に同じのため、ここでの説明を省略する。
【０１１３】
本実施例と実施例１と異なる点は、フォトレジストまたは二酸化ケイ素からなるバリア層を設ける必要はなく、そのまま透明導電素子をバリア部に延在する方式にて、電場効果によって、溶液形の第１電気変色素子３２３および第２電気変色素子３２７を阻止して置き、クロストーク（ｃｒｏｓｓ  ｔａｌｋ）を防止しグリッド状を形成する。第１透明導電素子３２２は上向きにして、間隔置きに複数の第１バリア部３２２１を延在し、第１透明導電素子３２４は下向きにして、間隔置きに複数の第２バリア部３２４１を延在することにより、第１電気変色素子３２３を第１バリア部３２２１と第１バリア部３２４１との間に収容され、第３透明導電素子３２６は上向きに、複数の第３バリア部３２６１を延在し、第４透明導電素子３２８は下向きに複数の第４バリア部３２８１を延在することにより、第２電気変色素子３２７をそれぞれ第３バリア部３２６１と第４バリア部３２８１との間に収容する。このほか、第１バリア部３２２１は第２透明導電素子３２４と接触されない。第２バリア部３２４１は第１透明導電素子３２２と接触されない。第３バリア部３２６１は第４透明導電素子３２８と接触されない。第４バリア部３２８１は第３透明導電素子３２６と接触されない。さらに、第１電気変色素子３２３と第２電気変色素子３２７はガラス、プラスチック、金属、ＵＶグルーまたはその他固化のぐる材によって第１電気変色素子３２３を第１、第２透明基板の間（図示しない）にパッケージし、第２電気変色素子３２７を第２、第３透明基板の間（図示しない）にパッケージする。
【０１１４】
図１５乃至図１７に示した本発明の立体映像表示装置実施例３のブロック図、本発明の電気変色モジュールの分解図、電気変色モジュールの断面視図を参照して説明する。
図において、立体映像表示装置４は、表示モジュール４１、電気変色モジュール４２、制御素子４３と感知素子４４、とを備える。感知素子４４より検出信号４４１を制御素子４３に伝送する。
【０１１５】
電気変色モジュール４２は第１透明基板４２１、第１透明導電素子４２２、複数の第１電気変色素子４２３、一つの第２透明導電素子４２４、第２透明基板４２５、第３透明導電素子４２６、複数の第２電気変色素子４２７、一つの第４透明導電素子４２と第３透明基板４２９、とを備える。
【０１１６】
本実施例において、表示モジュール４１、制御素子４３、感知素子４４、第１透明基板４２１、第１透明導電素子４２２、第２電気変色素子４２４、第２透明基板４２５、第３透明導電素子４２６、第４透明導電素子４２８、第３透明基板４２９の構造ならび機能は、実施例１に同じのため、ここでの説明を省略する。
【０１１７】
本実施例と実施例１との違い点は、第１電気変色素子４２３と第２電気変色素子４２７は電気変色材料に電解質材料をドープしてなる。材料は液体、ゲル状態または固体から選択する。液体でない電気変色材料は、バリア素子またはバリア部を取り付ける必要はないが、構造強度の強化、使用寿命を延長するために、さらに第１、第２電気変色材料４２３、４２７との間にバリア素子（図示しない）を取り付けても良い。
【０１１８】
そのうち、電気変色材料は陽極変色の遷移金属酸化物、陰極変色の遷移金属酸化物、陰／陽極変色の遷移金属酸化物または有機電気変色材料のいずれかを選択し、前述材料を電解質からなる複合材にドープする。
【０１１９】
そのうち、陽極変色（ａｎｏｄｉｃ  ｃｏｌｏｒａｔｉｏｎ）の遷移金属酸化物は酸化クロム（Ｃｒ2Ｏ3）、ニッケル酸化物（ＮｉＯx）、インジウム酸化物（ＩｒＯ2）、酸化マンガン（ＭｎＯ2）、水酸化ニッケル［Ｎｉ（ＯＨ）2］、五酸化タンタル（Ｔａ2Ｏ5）とフェロシアン化第二鉄（Ｆｅ［Ｆｅ（Ｃｎ）6］3）より組み合わせるグループのいずれかである。
【０１２０】
陰極着色（ｃａｔｈｏｄｉｃ  ｃｏｌｏｒａｔｉｏｎ）の材料は酸化タングステン（ＷＯ3）、酸化モリブデム（ＭｏＯ3）、酸化ニオブ（Ｎｂ2Ｏ3）、酸化チタン（ＴｉＯ2）、チタン酸ストロンチウム（ＳｒＴｉＯ3）および五酸化タンタル（Ｔａ2Ｏ5）より組み合わせる陰極着色（ｃａｔｈｏｄｉｃ  ｃｏｌｏｒａｔｉｏｎ）遷移金属酸化物グループのいずれかを選択する。
【０１２１】
そのうち、陰／陽極変色（ｃａｔｈｏｌｉｃ／ａｎｏｄｉｃ  ｃｏｌｏｒａｔｉｏｎ）の遷移金属酸化物は酸化バナジウム（Ｖ2Ｏ2）、酸化ロジウム（Ｒｈ2Ｏ3）と酸化コバルト（ＣｏＯx）より組み合わせるグループのいずれかである。
【０１２２】
前述有機電気変色材料はビピリジル（ｂｉｐｙｒｉｄｙｌｓ）、ビオローゲン（ｖｉｏｌｏｇｅｎ）、アントラキノン（Ａｎｔｈｒａｑｕｉｎｏｎｅ）、テトラチアフルバレン（Ｔｅｔｒａｔｈｉａｆｕｌｖａｌｅｎｅ）またはピラゾロン（ｐｙｒａｚｏｌｏｎｅ）酸化還元形化合物とその派生物、あるいはポリアセチレン（Ｐｏｌｙａｃｅｔｙｌｅｎｅ）、ポリアリニン（Ｐｏｌｙａｎｉｌｉｎｅ）、ポリピロール（Ｐｏｌｙｐｙｒｒｏｌｅ）、ポリチオフェン（Ｐｏｌｙｔｈｉｏｐｈｅｎｅ）、ポリ−３−アルキルチオフェン（Ｐｏｌｙ−３−ａｌｋｙｌｔｈｉｏｐｈｅｎｅ）、ポリフラン（Ｐｏｌｙｆｕｒａｎ）、ポリフェニレン（Ｐｏｌｙｐｈｅｎｙｌｅｎｅ）、芳香族ポリアミド／ポリイミドまたはポリフェニレンビニレン（Ｐｏｌｙｐｈｅｎｙｌｅｎｅｖｉｎｙｌｅｎｅ）導電重合物とその派生物、もしくはポリ金属錯体化合物とその派生物、または遷移金属とランタン系元素の配位錯体化合物とその派生物、もしくは金属フタロシアニンとその派生物、またはフェロセン（Ｆｅｒｒｏｃｅｎｅ）、鉄のチオシアン酸塩［ｉｒｏｎ（ＩＩＩ）ｔｈｉｏｃｙａｎａｔｅ］を水溶液に溶かし、ヘキサシアノ鉄酸塩（ｈｅｘａｃｙａｎｏｆｅｒｒａｔｅ）をテトラシアノキノンに溶かし、またはテトラチオン酸塩溶をシアノメタンに溶かせる。
前述電気変色材料が固体のとき、第１電気変色素子４２３を第１透明基板４２１または第２透明基板４２５に設ける方法は、ゾルゲル（Ｓｏｌ−ｇｅｌ）法、真空スパッタリング（Ｓｐｕｔｔｅｒｉｎｇ）法、電気めっき（Ｐｌａｔｉｎｇ）法、スクリーン印刷、吹き付け、陽極酸化（Ａｎｏｄｉｚｉｎｇ）法、光重合（ｐｈｏｔｏｐｏｌｙｍｅｒｉｚａｔｉｏｎ）法、電気泳動法、電気化学析出法またはレーザー蝕刻法より選択できる。
【０１２３】
第２電気変色素子４２７を第２透明基板４２５または第３透明基板４２９に設ける方法は、ゾルゲル（Ｓｏｌ−ｇｅｌ）法、真空スパッタリング（Ｓｐｕｔｔｅｒｉｎｇ）法、電気めっき（Ｐｌａｔｉｎｇ）法、スクリーン印刷、吹き付け、陽極酸化（Ａｎｏｄｉｚｉｎｇ）法、光重合（ｐｈｏｔｏｐｏｌｙｍｅｒｉｚａｔｉｏｎ）法、電気泳動法、電気化学析出法またはレーザー蝕刻法より選択できる。
【０１２４】
そのうち、異なる遷移金属酸化物における電気変色材料の分類は下表１に示す。
【０１２５】
【表１】
2012133305.tif 000003
【０１２６】
そのうち、電解質材料は過塩素酸リチウム（ＬｉＣｌＯ4）、水酸化カリウム（ＫＯＨ）、水酸化ナトリウム（ＮａＯＨ）またはケイ酸ナトリウム（Ｎａ2ＳｉＯ3）などである。
【０１２７】
図１８乃至図２０に示した本発明の立体映像表示装置実施例４のブロック図、本発明の電気変色モジュールの分解図及び断面視図を参照して説明する。
図に示すように、立体映像表示装置は、表示モジュール５１、電気変色モジュール５２、制御素子５３と感知素子５４、とを備える。
【０１２８】
電気変色モジュール５２は第１透明基板５２１、複数の第１透明導電素子５２２、複数の第１電気変色素子５２３、複数の第２透明導電素子５２４、一つの第２透明基板５２５、複数の第３透明導電素子５２６、複数の第２電気変色素子５２７、複数の第４透明導電素子５２８と一つの第３透明基板５２９、とを備える。
【０１２９】
本実施例と実施例３との違い点は第１透明導電素子５２２と第２透明導電素子５２４は複数あり、交差して第１透明基板５２１と第２透明基板５２５との間に配列することにより、各第１電気変色素子５２３をそれぞれ第１透明導電素子５２２と第２透明導電素子５２４との間に対応させ、第３透明導電素子５２６と第４透明導電素子５２８は複数あり、交差して第２透明基板５２５と第３透明基板５２９との間に配列することにより、各第２電気変色素子５２７をそれぞれ第３透明導電素子５２６と第４透明導電素子５２８との間に対応させ、第１透明導電素子５２２と第２電気変色素子５２４に異なるバイアス電圧を印加し、第１電気変色素子５２３をバイアス電圧の変化に従って変色または褪色する。第３透明導電素子５２６と第４透明導電素子５２８に異なるバイアス電圧を印加し、第２電気変色素子５２７をバイアス電圧の変化に従って変色または褪色させ、視差バリアを形成する。
【０１３０】
図２１と図２２に示した本発明の立体映像表示装置実施例５電気変色モジュールの分解図及び断面視図を参照して説明する。
本発明もう一つの設置方式は、電気変色モジュールはそのうち一つの基板のみに透明導電素子を設ける。一例として、第１透明基板６２１は複数に間隔置きに第５透明導電素子６２２を配列しており、第２透明基板６２５は複数に間隔置きに第６透明導電素子６２６を配列している。かつ第５透明導電素子６２２と第６透明導電素子６２６は異なる方向に設置されている。ただし、直交して配置することが好ましい。第１電気変色素子６２３は第１透明基板６２１と第２透明基板６２５との間に設置され、第２電気変色素子６２７は第２透明基板６２５と第３透明基板６２９との間に設置されている。第５、第６透明導電素子６２２、６２６の電極設計は図２３Ａ、２３Ｂに示すように、交互に正、負電圧を印加するか、または図２４Ａ、２４Ｂに示すように、負電圧を帯びる透明導電素子はＳ字型により設置し、正電圧を帯びる透明導電素子は交差して負極間に設置し、かつ負極を帯びる透明導電素子によって被せる。この種の設計は、電界効果を解決しクロストーク（ｃｒｏｓｓ  ｔａｌｋ）は発生しないと共に、電気変色素子はより均一な変色ができる。
【０１３１】
図２５と図２６に示した本発明の立体映像表示装置の実施例６に使用された電気変色モジュールの分解図及び断面視図を参照して説明する。
本実施例において、第１透明基板７２１、第５透明導電素子７２２、第１電気変色素子７２３、第２透明基板７２５、第２透明導電素子７２６、第２電気変色素子７２７、第６透明導電素子と第３透明基板７２９の設置方式及び構造は実施例５に同じである。異なる点は透明導電素子７２２、７２６の表面はさらに複数の第１、第２シールド素子７２３１、７２７１を設け、透明導電素子７２２、７２６の上部表面をシールドする。よって、電気変色素子７２３、７２７が変色するときには、透明導電素子７２２、７２６それぞれ正、負極の間の区域に制限される。
【０１３２】
図２７と図２８に示した本発明の立体映像表示装置実施例７電気変色モジュールの分解図及び断面視図を参照して説明する。
本実施例において、第１透明基板８２１、第１透明導電素子８２２、第１電気変色素子８２３、第２透明基板８２５、第２電気変色素子８２７と第３透明基板８２９の設置方式及び構造は前述実施例に同じである。異なる点は、映像のクロストーク（ｃｒｏｓｓｔａｌｋ）効果を防止するため、第２、第３透明基板の下部表面はさらに少なくとも一つの第７、第８透明導電素子８２４、８２８を設け、第５、第６透明導電素子８２２、８２６の電圧印加は交互に正、負電圧の印加に対して、第７、第８透明導電素子８２４、８２８は第１電気変色素子８２３と第２電気変色素子８２７に正電圧しか与えていない。電気変色素子の変色区域を負極の表面またはその周辺部に制限することを目的としている。
【０１３３】
図２９と図３０に示した本発明の立体映像表示装置実施例８電気変色素子の分解図及び断面視図を参照して説明する。
本実施例において、第１透明基板９２１、第１透明導電素子９２２、第１電気変色素子９２３、第２透明基板９２５、第２透明導電素子９２７と第３透明基板９２９の設置方式及び構造は実施例７に同じである。異なる点は透明導電素子９２２、９２６の表面はさらに複数の第１、第２シールド素子９２３１、９２７１を設け、透明導電素子９２６、９２６の上部表面をシールドする。よって、電気変色素子９２３、９２７が変色するときには、透明導電素子９２２、９２６それぞれ正、負極の間の区域に制限される。
【０１３４】
以上に説明したものは、本発明の好ましい実施例であり、本発明の実施範疇に制限を加わるものではない。当技術に熟知するものは、本発明の精神と範疇を逸脱されない、いかなる等効果変化と修飾とも、本発明の実用新案請求範囲に含まれる。
【０１３５】
以上に説明された通り、本発明による立体映像表示装置及びその電気変色モジュールは特許の発明性を有し、産業上の利用価値を有する。よって、発明者は特許法により、特許出願を提出する。
【符号の説明】
【０１３６】
１            立体映像表示装置
１１            シャッター式メガネ
１２            液晶表示パネル
１３            バックライト
２            立体映像表示装置
２１            表示モジュール
２２            電気変色モジュール
２２１            第１透明基板
２２２            第１透明導電素子
２２２０          第１バリア素子
２２２１          第２バリア素子
２２３            第１電気変色素子
２２４            第２透明導電素子
２２５            第２透明基板
２２６            第３透明導電素子
２２７            第２電気変色素子
２２８            第４透明導電素子
２２９            第３透明基板
２３            制御素子
２４            感知素子
２４１            検出信号
３            立体映像表示装置
３１            表示モジュール
３２            電気変色モジュール
３２１            第１透明基板
３２２            第２透明基板
３２２１          第１バリア部
３２３            第１電気変色素子
３２４            第２透明導電素子
３２４１          第２バリア部
３２５            第２透明基板
３２６            第３透明導電素子
３２６１          第３バリア部
３２７            第２電気変色素子
３２８            第４透明導電素子
３２８１          第４バリア部
３２９            第３透明基板
３３            制御素子
３４            感知素子
３４１            検出信号
４            立体映像表示装置
４１            表示モジュール
４２            電気変色モジュール
４２１            第１透明基板
４２２            第１透明導電素子
４２３            第１電気変色素子
４２４            第２透明導電素子
４２５            第２透明基板
４２６            第３透明導電素子
４２７            第２電気変色素子
４２８            第４透明導電素子
４２９            第３透明基板
４３            制御素子
４４            感知素子
４４１            検出信号
５１            表示モジュール
５２            電気変色モジュール
５２１            第１透明基板
５２２            第１透明導電素子
５２３            第１電気変色素子
５２４            第２透明導電素子
５２５            第２透明基板
５２６            第３透明導電素子
５２７            第２電気変色素子
５２８            第４透明導電素子
５２９            第３透明基板
５３            制御素子
５４            感知素子
６１            表示モジュール
６２            電気変色モジュール
６２１            第１透明基板
６２２            第５透明導電素子
６２３            第１電気変色素子
６２５            第２透明基板
６２６            第６透明導電素子
６２７            第２電気変色素子
６２９            第３透明基板
７１            表示モジュール
７２            電気変色モジュール
７２１            第１透明基板
７２２            第５透明導電素子
７２３            第１電気変色素子
７２３１          第１シールド素子
７２５            第２透明基板
７２６            第６透明導電素子
７２７            第２電気変色素子
７２７１          第２シールド素子
７２９            第３透明基板
８１            表示モジュール
８２            電気変色モジュール
８２１            第１透明基板
８２２            第５透明導電素子
８２３            第１電気変色素子
８２４            第７透明導電素子
８２５            第２透明基板
８２６            第６透明導電素子
８２７            第２電気変色素子
８２８            第８透明導電素子
８２９            第３透明基板
９１            表示モジュール
９２            電気変色モジュール
９２１            第１透明基板
９２２            第５透明導電素子
９２３            第１電気変色素子
９２３１          第１シールド素子
９２４            第７透明導電素子
９２５            第２透明基板
９２６            第６透明導電素子
９２７            第２電気変色素子
９２７１          第２シールド素子
９２８            第８透明導電素子
９２９            第３透明基板
Ｌ            左目用の映像
Ｒ            右目用の映像
Ｓ            立体映像
【図１】
2012133305.tif 000004
【図２】
2012133305.tif 000005
【図３】
2012133305.tif 000006
【図４】
2012133305.tif 000007
【図５】
2012133305.tif 000008
【図６】
2012133305.tif 000009
【図７】
2012133305.tif 000010
【図８】
2012133305.tif 000011
【図９】
2012133305.tif 000012
【図１０】
2012133305.tif 000013
【図１１】
2012133305.tif 000014
【図１２】
2012133305.tif 000015
【図１３】
2012133305.tif 000016
【図１４】
2012133305.tif 000017
【図１５】
2012133305.tif 000018
【図１６】
2012133305.tif 000019
【図１７】
2012133305.tif 000020
【図１８】
2012133305.tif 000021
【図１９】
2012133305.tif 000022
【図２０】
2012133305.tif 000023
【図２１】
2012133305.tif 000024
【図２２】
2012133305.tif 000025
【図２３Ａ】
2012133305.tif 000026
【図２３Ｂ】
2012133305.tif 000027
【図２４Ａ】
2012133305.tif 000028
【図２４Ｂ】
2012133305.tif 000029
【図２５】
2012133305.tif 000030
【図２６】
2012133305.tif 000031
【図２７】
2012133305.tif 000032
【図２８】
2012133305.tif 000033
【図２９】
2012133305.tif 000034
【図３０】
2012133305.tif 000035